(57)【要約】　　　（修正有）【課題】パンチの背面側からパンチ屑の収容状態を確認しなければならない従来の不具合を解消し、基台に紙葉類を置く場合等にパンチ屑の溜まり具合を簡単かつ的確に把握することができるパンチを提供する。【解決手段】基台１と、この基台１の上端側より一体に立ち上がる保持構体と、この保持構体内に昇降可能に収容されてパンチング軸を保持する軸ホルダーとを具備するパンチであって、基台１の一部をなす位置に、パンチ屑の収容状態を基台１側から視認可能とする窓部７２ｂを設けた。【選択図】図２
2004009236.tif 000002
【特許請求の範囲】
【請求項１】
基台と、この基台の上端側より一体に立ち上がる保持構体と、この保持構体内に昇降可能に収容されてパンチング軸を保持する軸ホルダーとを具備してなるものであって、
基台の一部をなす位置に、パンチ屑の収容状態を基台側から視認可能とする窓部を設けたことを特徴とするパンチ。
【請求項２】
パンチ屑を収容する半透明のダストケースの一部が前記窓部として機能することを特徴とする請求項１記載のパンチ。
【請求項３】
ダストケースが、基台の後方から差し込む着脱式のものであることを特徴とする請求項２記載のパンチ。
【請求項４】
ダストケースに蓋を設けていることを特徴とする請求項２又は３記載のパンチ。
【請求項５】
前記窓部がダストケースの蓋の一部であることを特徴とする請求項４記載のパンチ。
【請求項６】
中空体状のパンチング軸内に取り込んだパンチ屑を軸ホルダーの後方側に開口させた排出口から順次排出するようにしていることを特徴とする請求項１記載のパンチ。
【請求項７】
ダストケースの一部に、排出口から排出されるパンチ屑をダストケース内に導入するための開口を設けていることを特徴とする請求項２、３、４、５又は６記載のパンチ。
【発明の詳細な説明】
【０００１】
【発明の属する技術分野】
本発明は、多数枚の紙に孔を穿孔するパンチに係り、パンチ屑の収容状態をパンチの正面側から把握することができるとともに、ダストケース内に溜まったパンチ屑を容易に捨てることができるパンチに関するものである。
【０００２】
【従来の技術】
従来より、書類を綴じ込むために、その綴じ込み側縁部に沿って１穴や２穴あるいは多数穴を開けるためのパンチが知られている。このうち、いわゆる強力パンチと称されるものは、１００枚以上の紙に穿孔することができるように、パンチング軸が中空にしてあり、切り取ったパンチ屑を順次中空部内に取り込むように構成され、強力パンチの一部に一体的に設けたダストケースにパンチ屑を収容できるようになっている。
【０００３】
【発明が解決しようとする課題】
ところが、かかるパンチはダストケースを一体的に設けてあるため、ダストケース内のパンチ屑を捨てる場合には、一旦パンチ全体を持ち上げなければならず、捨てる作業が非常に面倒なものとなり不便である。このような不具合は、通常のパンチと比較して大型重量物である強力パンチの場合に顕著に現れる。そこで、ダストケースがパンチ本体の背面側から着脱できるものを採用し、ダストケース内のパンチ屑を捨てる場合には、ダストケースをパンチ本体から外すようにしたものがある。しかしながら、このようなものであれば、ダストケース内のパンチ屑の溜まり具合をパンチの正面側からは把握することができず、パンチの背面側からわざわざ確認しなければならならず、今ひとつ使い勝手に優れたものではない。
【０００４】
本発明は、このような課題に着目してなされたものであって、その目的とするところは、ダストケース内のパンチ屑の収容状態をパンチの正面側から把握することが可能であり、パンチ屑を捨てる作業も容易に行うことのできるパンチを提供することにある。
【０００５】
【課題を解決するための手段】
本発明は、かかる目的を達成するために、次のような構成を採用したものである。
【０００６】
すなわち、本発明のパンチは、基台と、この基台の上端側より一体に立ち上がる保持構体と、この保持構体内に昇降可能に収容されてパンチング軸を保持する軸ホルダーとを具備してなるものであって、基台の一部をなす位置に、パンチ屑の収容状態を基台側から視認可能とする窓部を設けたことを特徴とする。
【０００７】
このようなものであれば、パンチの正面側からパンチ屑の溜まり具合を視認することができるので、パンチの背面側からパンチ屑の収容状態を確認しなければならない従来品の不具合を解消し、基台に紙葉類を置く場合等にパンチ屑の溜まり具合を簡単かつ的確に把握することができる。
【０００８】
この場合、パンチ屑を収容する半透明のダストケースの一部が前記窓部として機能するものであることが好ましい。このようにすると、上記の利点を損なうことなく、パンチ屑を収容する空間を基台の一部に設けることができる。
【０００９】
具体的な構成としては、ダストケースが基台の後方から差し込む着脱式のものであることが挙げられる。このようなものであれば、ダストケースをパンチ本体から外すことができるので、ダストケース内に溜まったパンチ屑を捨てる作業を、パンチ全体を持ち上げて行う場合と比較して、容易に行うことが可能になる。
【００１０】
また、ダストケースに蓋を設けているものであれば、例えばダストケースがパンチ本体から外す時等に不意に落下した場合であってもパンチ屑がダストケース外に散乱することを有効に防止し、パンチ屑の適切な収容状態を確保することができる。
【００１１】
このような構成において、前記窓部がダストケースの蓋であれば、上述したパンチの正面からパンチ屑の溜まり具合の把握ができるという利点、及びパンチ屑の適切な収容状態を確保することができるという利点を、一部材である蓋によって実現することができ、部品点数の削減をも図ることができる。
【００１２】
また、中空体状のパンチング軸内に取り込んだパンチ屑を軸ホルダーの後方側に開口させた排出口から順次排出するようにすると、パンチ屑が軸ホルダーの前方側に排出されないため、パンチの使用時に紙葉類を載置する載置面上にパンチ屑を散乱させることなく、好適に使用することができる。
【００１３】
加えてダストケースの一部に、排出口から排出されるパンチ屑をダストケース内に導入するための開口を設けているようにすれば、パンチ屑をダストケース内に確実に収容することができる。
【００１４】
【発明の実施の形態】
以下、本発明の一実施形態を、図面を参照して説明する。
【００１５】
この実施形態のパンチは、図１に後述するカバーＣを外した状態を示すように、基台１と、この基台１の上端側より立ち上がる保持構体２と、この保持構体２内に昇降可能に収容されてパンチング軸３を保持する軸ホルダー４と、前記保持構体２の上端側に基端側を回転可能に支持させた操作ハンドル５と、保持構体２内にあって操作ハンドル５の回転操作に軸ホルダー４の昇降動作を連動させる連動機構６（図６参照）とを具備してなる。
【００１６】
基台１は、保持構体２及びその付属物である操作ハンドル５等を支持するに足る剛性を有した板状のもので、上面を紙葉類の載置面１ａとしているとともに、その上端近傍部におけるパンチング軸３の対応２ヶ所に、同パンチング軸３の刃先３ａを受ける樹脂製の円形マット１１を上面を載置面１ａと略面一にした状態で埋設している。
【００１７】
保持構体２は、基台１に接地する部分に対して、軸ホルダー４の収納部分、操作ハンドル５の取付部、連動機構６の収容部を前方（すなわち載置面１ａ側）に持ち出しているもので、そのオーバーハングした部分の下面２ａと、基台１の上面１ａとの間に、紙の束の上端側を差し込むようにしている。軸ホルダー４及び連動機構６の収容部は、ともに左右に対をなすブロック体状の構体部２１に前方に向けて開口させた上下方向の溝２２内に設定されているもので、この溝２２は構体部２１の前述したオーバーハング部分の下面２ａ及び上面２ｂに開口している。図において各要素部品を取り付けるために必要なボルト等は省略してある。
【００１８】
軸ホルダー４は、前記溝２２の幅寸法及び奥行寸法に略対応した外形寸法を有する概略直方体形状のもので、溝２２内に上下摺動可能に収容されている。この軸ホルダー４に取り付けられるパンチング軸３は、中空パイプ状のもので、下端側の刃先３ａが紙の束に切り込むことによって、切り取られたパンチ屑をその中空部に取り込み、順次押し上げられたパンチ屑を後述する排出口４ａから排出するようにしている。
【００１９】
操作ハンドル５は、剛性のあるハンドルレバー５１を操作端側が拡開するようなコ字形に折り曲げ、その操作端側に樹脂製のハンドル操作部５２を取り付けたもので、ハンドルレバー５１の基端側を各々対応する前記溝２２の上端近傍部分に挿入して、その部位を水平軸５３を介して構体部２１に回転可能に取り付けている。
【００２０】
連動機構６は、図６に示すように、前記ハンドルレバー５１の回転中心から偏位した部位と軸ホルダー４の上端部とを連結するリンク６１及び一対のリンクピン６２、６３を主体として構成されているもので、下側のリンクピン６３は常に軸ホルダー４の軸心位置で昇降するのに対して、上側のリンクピン６２は操作ハンドル５が直立位置から押し下げられるに伴って水平軸５３の一定半径上を円弧を描いて降下するようになっている。
【００２１】
なお、図２及び図３は、保持構体２のほぼ全域を被覆するカバーＣを装着した状態のパンチを図示するものである。カバーＣには、操作ハンドル５のハンドルレバー５１の回転運動を許容する開口Ｃ１と、パンチング軸３の取替時に利用する爪部Ｔを逃げる開口Ｃ２とを所要箇所に設けている。
【００２２】
このような構成において、本実施形態は、基台１の一部に基台１の後方から差し込み可能な着脱式のダストケース７を設けたものである。
【００２３】
ダストケース７は、図３及び図４に示すように、例えば半透明のアクリル製のものであって、パンチ屑を収容するための空間７１ｓを上面を開放した５面によって形成するケース本体７１と、ヒンジ機構７ｈによってケース本体７１にある程度回動可能に取り付けられる本発明の蓋たるケースカバー７２とから構成されるものである。
【００２４】
ケース本体７１は、後壁７１ａの高さ寸法を前壁７１ｂの高さ寸法より高く設定し、左右の側壁７１ｃをこれらの高さ寸法に対応させて長手方向中間部から前端側に亘って２段階の下降段差を連続して形成したものである。
【００２５】
ケースカバー７２は、頂面７２ａと、頂面７２ａから連続してＬ字形に屈曲して一体に形成した窓部７２ｂとからなり、頂面７２ａの後端側前記ヒンジ機構７ｈでケース本体７１に付帯させている。なお、頂面７２ｂの後端の一部には操作部７２ｃとして機能する切り欠きを形成している。なお、本実施形態では、窓部７２ｂを、主としてＬ字形を形成する起立面の下端から水平に延びる水平面を意味しているが、起立面も含めて窓部７２ｂとするものであっても勿論かまわない。
【００２６】
このような２つの部材からなるダストケース７は、ケースカバー７２によってケース本体７１の上方を蓋封した状態において、ダストケース７の側面の一部にパンチ屑をケース本体７１内の空間７１ｓに導入するための開口７ｋを形成するものである。また、上記の状態においては、ケースカバー７２の後端側（頂面７２ａの後端側）の上面がケース本体７１の後端側の上端面と略面一となり、ケースカバー７２の窓部７２ｂがケース本体７１の前端側の上端面に載置される（図４参照）。そして、蓋封したダストケース７を、基台１の後方から差し込んだ場合、図５に図示するように、前記載置面１ａに埋設した左右の円形マット１１の間に窓部７２ｂが表出し、窓部７２ｂからケース本体７１の空間７１ｓ内に収容されるパンチ屑の溜まり具合を視認することができる。また、窓部７２ｂの上面を載置面１ａと略面一としているため、基台１の上面に凹凸を生じさせることなく、好適に使用することができる。
【００２７】
一方、前記保持構体２の内部には、図６に示すように、前記軸ホルダー４の後方側に開口させた排出口４ａが設けられ、この排出口４ａを介して、前記パンチング軸３の中空部内に取り込まれ順次押し上げられたパンチ屑の排出を行うようにしている。
【００２８】
そして、排出口４ａから排出されたパンチ屑は、保持構体２の内部に設けたものであってダストケース７の側面に形成した前記開口７ｋに連通する通路（図示省略）を通過して、ケース本体７１の空間７１ｓ内に収容される。
【００２９】
このようにしてダストケース７内に収容されたパンチ屑は、パンチの背面側からダストケース７に設けた操作部７２ｃを利用してダストケース７を基台１の後方へ抜き取り、ケースカバー７２を前記ヒンジ機構７ｈを利用してケース本体７１の後壁７１ａ側へ回転させることによってケース本体７１の上方を開放すれば、ケース本体７１の空間７１ｓ内に収容されたパンチ屑を簡単に捨てることができる。
【００３０】
以上のように、本実施形態のパンチは、基台１の一部をなす位置に、パンチ屑の収容状態を基台１側から視認可能とする窓部７２ｂを設けてあるため、パンチの正面側からパンチ屑の溜まり具合を視認することができ、パンチの背面側からパンチ屑の収容状態を確認することなく、基台１に紙葉類を置く場合等にパンチ屑の溜まり具合を簡単かつ的確に把握することができる。
【００３１】
また、パンチ屑を収容する半透明のダストケース７の一部が前記窓部７２ｂとして機能するので、上記の利点を損なうことなくパンチ屑を収容する空間７１ｓを基台１の内部に設けることができる。
【００３２】
特に、ダストケース７が基台１の後方から差し込む着脱式のものであるため、ダストケース７をパンチ本体から外すことができるので、ダストケース７内のパンチ屑を捨てる作業を、パンチ全体を持ち上げて行う場合と比較して、容易に行うことが可能になる。
【００３３】
また、ダストケース７にケースカバー７２を設けているので、例えばダストケース７がパンチ本体から外す時等に不意に落下した場合であってもパンチ屑がダストケース７の外部へ飛び出ることを有効に防止し、パンチ屑の適切な収容状態を確保することができる。
【００３４】
このような構成において、前記窓部７２ｂがダストケース７のケースカバー７２の一部であるため、一部材であるケースカバー７２によって、パンチの正面からパンチ屑の溜まり具合を把握することができるとともに、パンチ屑の適切な収容状態を確保することができ、部品点数の削減を有効に図ることができる。
【００３５】
また、中空体状のパンチング軸３内に取り込んだパンチ屑を軸ホルダー４の後方側に開口させた排出口４ａから順次排出するようにしているので、パンチ屑が軸ホルダー４の前方側に排出されないため、パンチの使用時に紙葉類を載置する載置面１ａ上にパンチ屑を散乱させることなく、好適に使用することができる。
【００３６】
加えてダストケース７の側面に、排出口４ａから排出されるパンチ屑をダストケース７内に導入するための開口７ｋを設けているため、パンチ屑をダストケース７内に確実に収容することができる。
【００３７】
なお、各部の具体的な構成は、上述した実施形態のみに限定されるものではなく、本発明の趣旨を逸脱しない範囲で種々変形が可能である。例えば、ダストケースは半透明のものであればよく、アクリル素材以外の合成樹脂素材等からなるものであっても構わない。
【００３８】
【発明の効果】
以上説明したように、本発明によれば、パンチの正面側からパンチ屑の溜まり具合を視認することができ、パンチの背面側からパンチ屑の収容状態を確認することなく、基台に紙葉類を置く場合等にパンチ屑の溜まり具合を簡単かつ的確に把握することができるとともに、ダストケース内に溜まったパンチ屑を容易に捨てることが可能となる。
【図面の簡単な説明】
【図１】本発明の一実施形態に係るパンチをカバーを外した状態で模式的に示す斜視図。
【図２】同実施形態に係るパンチをカバーを装着した状態で示す斜視図。
【図３】同実施形態を背面側から見た模式的に示す部分拡大斜視図。
【図４】同実施形態のダストケースを示す斜視図。
【図５】同実施形態のダストケースと基台との関係を模式的に示す部分拡大側断面図。
【図６】同実施形態の軸ホルダー内を示す部分拡大側断面図。
【符号の説明】
１…基台
２…保持構体
３…パンチング軸
４…軸ホルダー
４ａ…排出口
７…ダストケース
７ｋ…開口
７２…ケースカバー（蓋）
７２ｂ…窓部
【図１】
2004009236.tif 000003
【図２】
2004009236.tif 000004
【図３】
2004009236.tif 000005
【図４】
2004009236.tif 000006
【図５】
2004009236.tif 000007
【図６】
2004009236.tif 000008